(57)【要約】衛生建物であって、外周輪郭（２）に沿って配設されていると共にそれぞれ少なくとも一つの液体供給部（２５）と少なくとも一つの液体排出口（２４）を有する複数の衛生室（４）と、衛生室（４）に出入りできるようになっている中央領域（５）と、衛生室（４）の一つに配設された少なくとも一つの衛生設備（１４）と、集液装置（３５）とを備えており、衛生建物（１）が複数の構造ユニットにより分解可能に組み立てられており、構造ユニットは少なくとも、外壁（２）、側壁（１７）、衛生設備（１４）、集液装置（３５）を含んでおり、集液装置（３５）は、お互いに分離可能な複数の集液容器（２７，５１，５２，５３）を有しており、衛生室（４）の下側に配設されている。【選択図】  図１
2009520892.tif 000002
【特許請求の範囲】
【請求項１】
衛生建物であって、多角形または円形の外周輪郭を有し且つ内部領域（３）を取り囲み、少なくとも一つの出入り口（６）を有する、外壁（２）と、内部領域（３）に設けられ且つ側壁（１７）により仕切られていると共に、外周輪郭に沿って外壁（２）に配置され、それぞれ、少なくとも一つの液体供給部（２５）と少なくとも一つの液体排出口（２４）を有する、複数の衛生室（４）と、内部領域（３）に設けられた中央領域（５）であって、出入り口（６）を通って中央領域（５）に出入りできると共に中央領域（５）を通って衛生室（４）に出入りできるようになされた、中央領域（５）と、液体供給部（２５）の一つと接続していると共に衛生室（４）の一つに配置されている、少なくとも一つの衛生設備（１４）と、液体排出口（２４）と接続しており液体排出口（２４）を介して液体が送り込まれることが可能な集液装置（３５）と、を備えている衛生建物において、
−  衛生建物（１）が複数の構造ユニットにより分解可能に組み立てられており、該ユニットは、少なくとも外壁（２）、側壁（１７）、衛生設備（１４）及び集液装置（３５）を含んでおり、且つ、
−  集液装置（３５）は、互いから分離可能な複数の集液容器（２７，５１，５２，５３）を有しており、該集液容器が衛生室（４）の下方に配置されている
ことを特徴とする衛生建物。
【請求項２】
請求項１に記載の衛生建物において、
衛生室（４）が、外周輪郭に沿って互いに隣接して配設されており、側壁（１７）の少なくとも一部が、衛生室（４）を互いから分離する隔壁を形成していることを特徴とする衛生建物。
【請求項３】
請求項１または２に記載の衛生建物において、
中央領域（５）が、衛生室（４）により取り囲まれていることを特徴とする衛生建物。
【請求項４】
請求項１乃至３のいずれか一項に記載の衛生建物において、
集液容器（２７，５１，５２，５３）が、それぞれ、閉じられたユニットを形成していると共に、集液装置（３５）に組み立てられていることを特徴とする衛生建物。
【請求項５】
請求項１乃至４のいずれかに一項に記載の衛生建物において、
集液容器（２７，５１，５２，５３）うちの一つ、複数、または全てが、それぞれ少なくとも一つの液体排出口（２４）と少なくとも一つの液体供給部（２５）を有していることを特徴とする衛生建物。
【請求項６】
請求項５に記載の衛生建物において、
集液容器（２７，５１，５２，５３）のうちの一つ、複数、または全てが、それぞれ少なくとも一つの給水接続部（３９）と少なくとも一つの給水配管（２９）を有し、該配管が少なくとも一つの液体供給部（２５）を少なくとも一つの給水接続部（３９）と接続すると共に、前記集液容器にまたは該集液容器の中に設けられていることを特徴とする衛生建物。
【請求項７】
請求項６に記載の衛生建物において、
少なくとも一つの液体供給部（２５）と少なくとも一つの液体排出口（２４）が、液体捕捉装置（３５）の中心に対して、給水接続部（３９）が有するより大きな間隔を有していることを特徴とする衛生建物。
【請求項８】
請求項１乃至７のいずれか一項に記載の衛生建物において、
集液装置（３５）が、多角形または円形の外側輪郭を有していることを特徴とする衛生建物。
【請求項９】
請求項１乃至８のいずれか一項に記載の衛生建物において、
少なくとも一つの衛生設備（１４）が、洗面台、シャワー、小便器、またはトイレットによって形成されていることを特徴とする衛生建物。
【請求項１０】
請求項１乃至９のいずれか一項に記載の衛生建物において、
少なくとも一つの衛生設備（１４）が、液体排出口（２４）のうちの一つと取り外し可能に接続されていることを特徴とする衛生建物。
【請求項１１】
請求項１乃至１０のいずれか一項に記載の衛生建物において、
衛生室（４）の各々に、少なくとも一つの衛生設備（１４）が設けられていることを特徴とする衛生建物。
【請求項１２】
請求項１乃至１１のいずれか一項に記載の衛生建物において、
外壁（２）が、互いに対して取り外し可能に接続される複数の外壁部分（５７）を有することを特徴とする衛生建物。
【請求項１３】
請求項１乃至１２のいずれか一項に記載の衛生建物において、
液体排出口（２４）にサイフォン（４６）が固定されていることを特徴とする衛生建物。
【発明の詳細な説明】
【技術分野】
【０００１】
本発明は、多角形または円形の外周輪郭を有し且つ内部領域を取り囲み、少なくとも一つの出入り口を有する、外壁と、内部領域に設けられ且つ側壁により仕切られていると共に、外周輪郭に沿って外壁に配置され、それぞれ、少なくとも一つの液体供給部と少なくとも一つの液体排出口を有する、複数の衛生室と、内部領域に設けられた中央領域であって、出入り口を通って中央領域に出入りできると共に中央領域を通って衛生室に出入りできるようになされた、中央領域と、液体供給部の一つと接続していると共に衛生室の一つに配置されている、少なくとも一つの衛生設備と、液体排出口と接続しており液体排出口を介して液体が送り込まれることが可能な集液装置と、を備えている衛生建物に関するものである。
【背景技術】
【０００２】
この種の衛生建物は従来技術で公知である。ＧＢ２３６０７９８Ａ号公報は、八角形の床面を有する回転木馬状の公共トイレットを開示しており、内側に複数の部屋が、公共トイレット中心部の周りで床面の外側輪郭に沿って配置されている。複数の洗面台と小便器とが、これらの部屋に取り囲まれて、中心部の周りに設けられており、中心部自体は自由に出入りできるようになっている。部屋からの排液部は、公共トイレット周りの外側に配置された調整チャンバーに向かって延びている。さらに洗面台用に中央チャンバーが設けられている。ほぼ半円形状をした二つの排液管が、公共トイレットを取り巻いて延びており、単一の汚水管に向かって下向きに延びている。
【０００３】
トイレットからの汚水が直接、排液部を介して外部に排出されるので、外部の設備のために非常な大きな費用がかかる。加えて、公共トイレットの周りに配置した排液管およびトイレットから排液部が延びる調整チャンバーは、不快な印象を与えると共につまづくおそれがある。さらにこの種の公共トイレットは、輸送するのが難しい。
【０００４】
ＤＥ３５３７３０６Ａ１号公報は、家の形態をした移動可能な構造物を開示しており、そこでは中央支柱、床、壁要素などが、確実な差込接続により、寸法的に安定した解体可能な構造体に組み立てられており、ロック部分のついた棟カバーを使って差込接続により中央でロックされている。この構造物はほぼ円形または六角形の基礎形状を有しており、公共トイレットとして使用できまたは手洗いスペースを有することができる。
【０００５】
しかしながら汚水の除去、または水洗若しくは手洗い用給水のための解決手段についての提案は、全く示されていない。
【０００６】
【特許文献１】ＧＢ２３６０７９８Ａ号公報
【特許文献２】ＤＥ３５３７３０６Ａ１号公報
【発明の開示】
【発明が解決しようとする課題】
【０００７】
この従来技術を前提に本発明が根拠にする課題は、最初に挙げた種類の衛生建物を、外部の汚水廃棄システムとは関係なく使用可能であると共に、簡単に輸送できるように改良することである。
【課題を解決するための手段】
【０００８】
本発明によればこの課題を、請求項１に記載の衛生建物により解決する。好ましい変形例を従属請求項に記載している。
【０００９】
本発明による衛生建物は、多角形または円形の外周輪郭を有し且つ内部領域を取り囲み少なくとも一つの出入り口を有する、外壁と、内部領域に設けられ且つ側壁により仕切られていると共に、外周輪郭に沿って外壁に配置され、それぞれ、少なくとも一つの液体供給部と少なくとも一つの液体排出口を有する、複数の衛生室と、内部領域に設けられた中央領域であって、出入り口を通って中央領域に出入りできると共に中央領域を通って衛生室に出入りできるようになされた、中央領域と、液体供給部の一つと接続していると共に衛生室の一つに配置されている、少なくとも一つの衛生設備と、液体排出口と接続しており液体排出口を介して液体が送り込まれることが可能な集液装置とを備えている。この構成では、衛生建物が、複数の構造ユニットにより分解可能に組み立てられており、これらユニットは、少なくとも外壁、側壁、衛生設備及び集液装置を含んでおり、集液装置は、互いから分離可能な複数の集液容器を有しており、これら集液容器は衛生室の下方に配置されている。
【００１０】
本発明による衛生建物は、衛生室ないし内部領域の下方に配設された複数の集液容器を有しているので、外部の汚水廃棄システムから独立して使用することができる。さらに衛生建物は、複数の構造ユニットに分解できるので、据え付け場所を変えるときに輸送せねばならないのは、衛生建物全体ではなく構造ユニットのみである。加えて集液容器は、互いに分離可能であるので、個別に輸送することができ、これはスペース的な理由だけでなく、集液装置が汚水で満たされた時の重量的な理由からも利点がある。衛生建物用に単一の集液容器を設けた場合、汚水で一杯になったときには、同等の運搬能力での輸送は難しい。
【００１１】
衛生室を外壁に沿って配置していることにより、比較的小さい面積上に多数の衛生設備を設けることができる。衛生建物ないし外壁の基本形状は、特に、円形または規則的な多角形となり、外壁の外周輪郭は、好ましくは、円形、八角形、または六角形である。
【００１２】
衛生室を、それぞれ、側方が側壁により仕切られているものとすることができる。さらに隣接する二つの衛生室の間に、空きスペースを設けることもできる。しかし衛生室が、外周輪郭に沿って互いに隣接して配置されていると好ましい。これに関して、互いに隣接する二つの衛生室がそれぞれ側壁の一つにより互いに分離されているので、側壁の少なくとも一部が隔壁を形成することになる。さらに中央領域は、衛生室により取り囲まれることができ、環状に形成されることが好ましい。
【００１３】
集液容器は、それぞれ、閉じられたユニットとして形成でき、好ましくは、集液装置を形成するように組み立てられる。さらに集液装置の基本形状を、その外側輪郭が例えば円形、八角形、または六角形であるように円形または規則的な多角形状にすることができる。集液装置ないし集液容器は直接、基礎の上に載置され、またはこれと間隔をおいて位置決めすることができる。後者の場合には特に、基礎上に立設され、例えば外壁により形成することができる保持装置に、集液容器が固定される。
【００１４】
集液装置は、液体供給部および液体排出口を有することができる。特に各集液容器は、液体供給部と液体排出口の一部を有している。液体供給部は給水接続部として形成され、例えば集液容器の外側表面に又は外側表面内に構成することができる。さらに液体排出口は、集液容器の外側表面に設けられた穴として形成することができる。液体排出口にはサイフォンを設けることができ、サイフォンは特に各集液容器と固定的に接続されているか、各集液容器にまたは集液容器内に直接固定されている。
【００１５】
少なくとも一つの衛生設備を、例えばシャワーまたは散水器、洗面台、小便器またはトイレットにより形成することができる。加えて衛生設備を液体排出口の一つと接続することができ、これは特にトイレット、小便器、または洗面台について当てはまる。衛生設備と接続される液体排出口および衛生設備と接続される液体供給部が、同じ衛生室に設けられていることが好ましい。衛生設備がシャワーである場合には、液体を透過させるトレイを、関連する液体排出口に配設することができる。
【００１６】
少なくとも一つの衛生設備が設けられる。しかし、衛生室の一つにそれぞれ位置決めされる、複数の衛生設備を設けることが好ましい。この構成では、衛生室のそれぞれが、衛生設備の少なくとも一つを有している。衛生室の各々に、同じ衛生設備を設けることができるが、異なる衛生設備を衛生室に設けることも可能である。各衛生室に、便器を備えることが好ましい。
【００１７】
衛生室に位置決めされる衛生設備は、容易に除去または交換可能であるように、例えば差込接続方法により取り外し可能に組み立てられていると好ましい。特に便器をシャワーまたは小便器と交換することができ、または逆も可能である。
【００１８】
集液装置は、例えば集液装置の２つの半体、４つの四分体、６つの六分体、また８つの八分体を形成する集液容器から組み立てられる。組立の時、これら集液容器は、ケーキのように組み合わせられる。集液容器の数は、外壁輪郭の角の数に対応するものとできるが、しかし集液容器の数を、外壁に設けた出入り口の数だけ減らすことができる。
【００１９】
集液容器は、同一の形状を有するものとすることができる。入口の下側に位置する集液容器を異なった形状で構成することも、代替として可能である。
【００２０】
集液容器の数が衛生室の数に対応するように、各衛生室に異なる集液容器を割り当てることができる。代替として、衛生室をグループ分けし、各グループ毎に異なる集液容器を割り当て、集液容器の数がグループの数に対応するようにしてもよい。グループの各々は、一つまたは複数の、例えば二つ、三つ、または四つの衛生室を含むものとすることができる。
【００２１】
集液容器は特に、集液装置を形成するように差込接続方法を使用して互いに嵌め込まれ、プラスチック材料、アルミニウムなどでつくることができる。
【００２２】
一つの例によれば集液装置の直径は７ｍで、１７．７２ｍ３又は約１７，０００リットルの容量を有しており、これを汚水保持のために使用できる。一回の水洗で約５リットル（０．００５ｍ３）の液体ないし水を受け入れる場合、余分に導入される物質を考慮して、約２８００回の水洗となる。下水道が敷設されている場合には排流をそれに繋ぐことにより、この容量をさらに増加することができる。ここでの例によれば集液装置は、７５ｃｍ（０．７５ｍ）の高さに配置される。
【００２３】
液体供給部は、管またはホースとして構成された（給水）配管を介して液体ないし水を供給することができ、このとき配管は特に集液容器を通って、またはこれに接して又はこれの中に設けられている。さらに配管は、例えば公共飲料水道網または別の外部水源に接続されている（中央の）給水部と接続されていることが好ましい。これに代えて衛生建物内に水タンクを設けることも可能であり、これを例えば衛生建物の屋根に配設し、（中央の）給水部と接続しまたは給水部を形成することができる。しかし、集液装置ないし衛生建物の中央に、配管が中央給水部に接続されている接続領域を設けていると好ましい。加えて温水配管および／または電気ケーブルを集液容器を通って又はこれの中に敷設することができ、好ましくは、接続領域において中央温水供給部に、ないしは中央の配電盤に接続されている。集液容器の少なくとも一つ又はそれぞれが、少なくとも一つの（断熱／絶縁された）空管を有することができ、空管は、特に集液容器を通って又はこれに接してまたはこれの中に延びていると共に、給水配管および／または電気配線を敷設するために使用できるようになっている。この構成では、一つのまたは複数の空管が、衛生室の一つに向かって開口部を有していると好ましい。一方、各空管の一つまたは別の開口部は、衛生建物の中央領域に設けられてよく、とくに接続領域に通じることができる。
【００２４】
中央領域に一つまたは複数の洗面台を配置することができ、好ましくは給水配管に接続させる。この目的のために、中央領域は少なくとも一つの液体供給部を有することができる。一または複数の洗面台からの汚水を排水するために、中央領域に液体排出口を設けることができ、これら液体排出口は、集液装置に接続され、液体は、これら追加の液体排出口を通じて集液装置に送り込まれることができる。
【００２５】
臭気問題が発生しないように、すべての衛生設備ないし液体排出口は、集液装置又は集液容器と密閉接続していると好ましい。液体供給部、給水配管、温水配管、空管、および／または電気配線が集液容器を通って延びる場合には、これらにも同様のことが当て嵌まる。
【００２６】
衛生建物は、内部領域の範囲、少なくとも衛生室と中央領域の範囲において、下に集液装置を配置することができる床を有している。集液装置自体が床を形成することも、代替として可能である。さらに、床は、内部領域側で、特に水溜まりが形成されない目の詰まった格子、ゴムマット、または類似のカバーで覆われていることが好ましく、その場合、乾いた足で衛生建物に入り、乾いた足のまま再び出ることができる。
【００２７】
トイレットとして構成される衛生設備のいずれも便器を有することができ、便器は、特に液体排出口の一つに直接据え付けて、これにゴムスリーブ、ワンタッチバルブ等を介して臭気がないように接続していると好ましい。こうして汚水は、便器から、特にサイフォンの中間接続により直接集液容器の一つに送ることができるので、汚水が移動する経路は非常に短く、一実施形態では３０ｃｍ（０．３ｍ）である。こうしてトイレットの詰まりを防止することができる。各便器が、とくに垂直にまたは縦方向で下方に向かって関連する液体排出口を通って延びる管を介して、関連する集液容器と接続していると好ましい。しかし代替として管を、縦方向に対して僅かに傾斜させることもできるが、４５°を超えるべきではない。
【００２８】
各衛生室にトイレット又はシャワーを配置することができ、各衛生室の液体供給部は、シャワーまたは散水器か、トイレット水洗装置と接続している。
【００２９】
各衛生室への出入り口は、各衛生室を仕切る側壁間で外壁とは反対側にあることが好ましく、側壁の一つに特に旋回可能に取り付けまたは吊り下げられている少なくとも一つのドアで閉じることができる。代替として、各衛生室の側壁間で外壁とは反対側にそれぞれ前壁を設けて、前壁に出入り口を形成すると共に、前壁にドアを旋回可能に取り付けまたは吊り下げることができる。
【００３０】
例としての構成によれば衛生室の出入り口が、それぞれ約１ｍの幅を有しており、側壁は出入り口から１．２０ｍの奥行きで外壁まで延びている。各衛生室の後壁は１．２０ｍの幅を有しており、外壁で形成することができる。衛生建物で比較的大きなトイレットを提供できるようにするために、これらの寸法を変更する、特に小さくすることも可能である。
【００３１】
衛生建物の壁、とくに側壁、ドア、および／または後壁を、例えば差込接続方式で、取り外し可能に集液装置ないし、集液容器に固定することができる。さらに壁をアルミニウム又はプラスチック材料で製造することができ、適切な色で構成し、且つ／または適切なタイルを張り付けることにより覆うことができる。ここで想定する寸法では、１４のトイレットを収容可能である。とくに、各衛生室をシャワー室に変換するために、各便器は、僅かな操作で取り外してシャワーと置き換えできる。このときシャワーに必要な温水および／または冷水配管を後壁に事前に取り付け、所望により完全にまたは部分的に断熱することができる。特に、衛生室の快適な全体印象を損なわないよう、特に、これら給水配管を完全にまたは少なくとも部分的に覆って配置している。
【００３２】
男性と女性が同時に衛生建物に出入りできるようにする場合には、隔壁を設けることができ、隔壁は、内部領域ないし中央領域を分割、特に二分割または三分割する。さらに、一つまたは複数の便器を小便器に置き換えることも可能であり、この場合、関連する衛生室のドアは取り外されることが好ましい。
【００３３】
特に環状に構成され、好ましくは多角形または円形の外側輪郭を有する中央領域を、手洗いスペースとして利用でき、このとき、手洗いスペースに配置される洗面台は、特に中央領域中心部に配置されている。この目的のために、中央領域の中央に丸い又は多角形の、とくに四角形、六角形から八角形までの柱を備えることができ、この柱に洗面台を固定するか、または柱内部に洗面台を一体化させる。これに関して洗面台を、完全にまたは部分的に柱に埋設することができる。さらに、特に洗面台の上方に配設する鏡を柱に固定することができる。洗面台を環状に配置し、中央領域を環状に構成していることにより、停滞を回避することができる。柱の内部に温水ボイラーまたはガスによる温水加熱器を収容することができ、それにより温水も使用できる。
【００３４】
すっきりしたデザイン、統一的な外観、カラーコーディネイトされた付属品によって、中央領域に全体として快い印象を与えることになろう。中央領域に、訪問者に調和した雰囲気を与え、特にハロゲン光線を備える照明装置を設けることもできる。さらに中央領域で音楽を流すこともでき、この目的のためにスピーカーを設けることができ、スピーカーは、例えば、ラジオまたは媒体再生装置と接続することができる。とくに、衛生建物にヒーターを装備することも可能である。
【００３５】
衛生建物ないし外壁が７ｍの直径を有している場合、衛生室の奥行き寸法２×１．２０ｍを差し引くと、中央領域直径は約４．６０ｍとなる。
【００３６】
外壁を互いに分離可能な複数の外壁部分に分割することができ、各衛生室の後壁が外壁部分の一つにより形成されていると好ましい。さらに、すべての構造ユニット、特に壁のすべてが、差込方法により取り外し可能に互いに取り付けられ又は衛生建物内またはこれに接して取り付けられていると好ましい。
【００３７】
衛生建物が、屋根、とくに屋根が輸送のために分解できるように、取り外し可能に互いに接合された屋根要素から形成される屋根を有していることが好ましい。さらに、屋根および／または外壁を一つまたは複数のテントで覆うこともでき、テントは、特に視覚的に心地よいように形成されている。テントを使用する時には屋根を省くか、屋根をテントで形成することが可能である。
【発明の効果】
【００３８】
この衛生建物は、見本市会場、地域の祭り、音楽フェスティバル、キャンプ場、人工湖、スポーツや他の催し用に適している。さらに衛生建物は、軍隊での使用や災害地域でも使用できる。衛生建物は特に閉じられたシステムを形成しているので、集液装置から臭気が外部に出て行くことがない。本発明による衛生建物は、必要に応じてトイレットおよび／またはシャワー装置として使用できる。
【発明を実施するための最良の形態】
【００３９】
以下において本発明を、好ましい実施形態を使って図面を参照しながら説明する。
【実施形態】
【００４０】
図１で示されているのは、全体を１で示す本発明による衛生建物の一実施形態であり、ここでは八角形の外壁２が内部領域３を取り囲んでおり、その中に１４の衛生室４が配置されている。衛生室４は、外壁２に設けられた出入り口６を通じて出入りできる中央領域５を取り囲んでいる。内部領域３は、基礎８（図２を参照）の上部に位置決めされた床７（図２を参照）を有しているので、基礎８と床７との高低差を埋めるために階段９が設けられている。これに代えて、車椅子利用者も衛生建物を利用できるように、階段９を傾斜路で置き換えてもよく、または階段と傾斜路を組み合わせて設けることもできる。本実施形態の変形例によれば、追加的に利用可能な空間を出入り口６の範囲に形成できるように、階段９および／または傾斜路を衛生建物１の外部に位置決めしてもよい。この追加的に利用可能な空間は、少なくとも部分的に、保管用の棚または保管室を設けるために用いることができ、および／または作業員によって利用されることができる。
【００４１】
中央領域５の中央に八角形の柱１０が設けられており、柱１０には複数の洗面台１１と鏡１２が取り付けられている。衛生建物１を同時に男性用と女性用で使用できるようにする場合には、中央領域５を二つの分離した区域に分割する隔壁１３を設けることができる。隔壁１３は任意にすぎないので、破線で示している。
【００４２】
衛生室４は、それぞれ、便器１５と水洗装置１６をそれぞれ備えて外壁２に配置されたトイレット１４を有していると共に、外壁２から中央領域５に向かって延びる側壁１７により側方で仕切られている。各衛生室４は、中央領域５に向けて出入り口１８を有しており、出入り口１８では二枚の揺動ドア１９が配置されている。これに代えて、一枚だけのドア１９を各出入り口１８に設けることも可能である。さらに各衛生室４は出入り口１８が形成された前壁２０を有し、前壁２０のドア１９は、旋回可能に取り付けられている。これに代えて、衛生室４のドア１９を、関連する側壁１７に旋回可能に取り付けることも可能である。
【００４３】
とくに外壁２は、外壁部分５７に分割されており、そこで各外壁部分５７が八角形の外壁２の一辺を形成し、ひいては隣接する二つの衛生室４の後壁を形成している。衛生建物１を容易に分解することができるように、外壁部分５７、側壁１７、ドア１９の付いた前壁２０は、差込方法により取り外し可能に組み立てられている。
【００４４】
図２で示されているのは、少なくとも一つの出入り口２２を有するテント２１によって全体が覆われた衛生建物１の断面図である。衛生建物１は屋根２３を有しているが、テント２１が存在しているため、省くこともできる。テント２１は中央でテント柱５０により保持されている。テント柱５０は屋根２３上で支持されているが、これに代えて、基礎８まで衛生建物１を貫通して延びていてもよい。
【００４５】
各衛生室４は、液体排出口又は排液部２４、および、液体供給部又は給水接続部２５を有している。図３から分かるように、便器１５が垂直な下降管２６を介して、基礎８と床７の間に位置決めされた集液容器２７と接続している。臭気の発生を防ぐために、下降管２６はシール２８によって床７に対して密封されている。さらに下降管２６は、集液容器２７と固定的に接続されたサイフォン４６（概略的に図示）内に開口している。液体供給部２５は水洗装置１６と接続しており、管又は配水管２９を介して集液容器２７を通って中央接続領域３０まで延びている。
【００４６】
トイレット１４は、取り外し可能に衛生室４に位置決めされており、特に便器１５は管２６と共に液体排出口２４から引き抜くことができる。さらに水洗装置１６を液体供給部２５から取り外しできるので、液体供給部２５をシャワーまたは散水装置４３（図６を参照）と接続できる。これに代えて、液体供給部２５は衛生室４内に複数の接続部を有していることができ、これにより、シャワー４３と水洗装置１６が同じ接続部を介して接続される必要がないようにすることができる。このように、衛生室４を、トイレット室からシャワー室に容易に変換することができ、この場合、液体排出口２４を、例えば網目部材４５（図６を参照）のように液体が通過するカバーで覆っていると好ましい。逆の手順により、シャワー室として構成した衛生室４をトイレット室に変換することも可能である。
【００４７】
柱１０に配置された洗面台１１は、それぞれ、液体供給部３１を介して給水される蛇口４８を有しており、液体供給部３１は、柱１０の内部を通って接続領域３０まで延びている。液体供給部２５と３１は、中央接続領域３０で中央給水部３２と接続しており、中央給水部３２は、例えば公共飲料用水道網のような外部の給水装置または、例えば屋根２３に位置決めすることができる水タンクのいずれかに接続している。さらに、中央給水部３２と接続される温水加熱器３３を設けることも可能である。温水加熱器３３は、好ましくは柱１０の中に位置決めされ、蛇口４８と接続させることもできる。
【００４８】
第二管又は給水配管３４は、集液容器２７を通って延びることができ、衛生室４で接続部ないし液体供給部３７（図５を参照）を有し、接続領域３０で別の接続部４０（図５を参照）を有し、別の接続部４０は温水加熱器３３と接続している。こうして、シャワー４３を、液体供給部３７ないし温水配管３４と接続することが可能である。シャワー４３は、好ましくは、適切な混合装置４４（図６を参照）を介してシャワーから流れ出る水の温度を調整できるように、液体供給部２５と液体供給部３７とに接続される。
【００４９】
図４で示されているのは、集液装置３５の平面図であり、集液装置３５は、互いに取り外し可能に相互接続されている、全部で４つの集液容器２７，５１，５２，５３から組み立てられる。それぞれの集液容器が個別のタンクを形成していると共に、複数の液体供給部２５，３７と複数の液体排出口２４，３８を有しているので、各衛生室４に対して充分に接続できる。この構成において、液体排出口２４，３８は、集液容器のカバー３６の穴として形成されることができ、一方、液体供給部２５，３７は、例えば、給水接続部、好ましくはカバー３６上又はカバー３６内に固定される給水配管および／または給水ホース用の差し込み型の接続部を形成する。この実施形態によれば、カバー３６が同時に床７を形成し、これを更に格子４９が覆っている。さらに集液容器５３は、比較的低い又は傾斜した領域５４を有しており、その上部に階段９が位置決めされている。階段９が衛生建物１の外部に位置決めされているときには、領域５４を比較的低く又は傾斜させて構成する必要はない。とくに、集液容器２７，５１，５２，５３のすべてを類似の構造で、または同一構造で構成することも可能である。
【００５０】
図５で示しているのは、集液容器２７の斜視図であり、液体排出口２４と液体供給部２５，３７が外周領域に設けられている。内周領域では、集液容器２７は、洗面台１１用の液体排出口３８を有している。さらに内周領域では、特に集液容器２７の内側端面に接続部３９，４０，４１が設けられており、接続部３９は、中央給水部３２と、接続部４０は温水加熱器３３と接続している。衛生建物１の供用時間を増やすために、下水道がある場合には、接続部４１を下水道に接続することができる。これに代えて、接続部４１を、集液容器２７の外側の端面４２、または別の外側表面に設けることも可能である。また接続部３９と４０を例えばカバー３６に位置決めすることができる。この場合には接続領域を、集液装置の上部、例えば柱１０の中に設けることも可能である。
【００５１】
図６で示しているのは、シャワー室として構成されている衛生室４の断面図である。この構成では、シャワー４３は混合装置又は混合栓４４を介して、液体供給部２５，３７と接続しているので、シャワーのために温水と冷水を使用できる。さらに液体排出口２４には、網目部材４５が挿入されている。
【００５２】
図７で示しているのは、トイレットが小便器５５で置き換えられた衛生室４の断面図であり、トイレットと同じく小便器５５は液体排出口２４と接続している。さらに、液体供給部２５と接続する小便器用水洗装置５６が設けられている。
【図面の簡単な説明】
【００５３】
【図１】本発明による衛生建物の実施形態で、屋根を取り除いた平面図。
【図２】本発明の実施形態による衛生建物の断面図。
【図３】本発明の実施形態による衛生建物の詳細部分断面図。
【図４】集液装置の平面図。
【図５】集液容器の斜視図。
【図６】シャワー室に変更された衛生室。
【図７】小便器を備えた衛生室。
【符号の説明】
【００５４】
１      衛生建物
２      外壁
３      内部領域
４      衛生室
５      中央領域
６      出入り口
７      床
８      基礎
９      階段／傾斜路
１０    柱
１１    洗面台
１２    鏡
１３    隔壁
１４    トイレット
１５    便器
１６    水洗装置
１７    側壁
１８    出入り口
１９    揺動ドア
２０    前壁
２１    テント
２２    出入り口
２３    屋根
２４    液体排出口
２５    液体供給部
２６    管
２７    集液容器
２８    シール
２９    管
３０    接続領域
３１    液体供給部
３２    中央給水部
３３    温水加熱器
３４    給水配管
３５    集液装置
３６    カバー
３７    液体供給部
３８    液体排出口
３９    接続部
４０    接続部
４１    接続部
４２    外側
４３    シャワー
４４    混合栓
４５    網目部材
４６    サイフォン
４７    中央垂直軸
４８    蛇口
４９    格子
５０    テント柱
５１    集液容器
５２    集液容器
５３    集液容器
５４    傾斜領域
５５    小便器
５６    小便器水洗装置
５７    外壁部分
【図１】
2009520892.tif 000003
【図２】
2009520892.tif 000004
【図３】
2009520892.tif 000005
【図４】
2009520892.tif 000006
【図５】
2009520892.tif 000007
【図６】
2009520892.tif 000008
【図７】
2009520892.tif 000009
【国際調査報告】
2009520892.tif 000010
2009520892.tif 000011
2009520892.tif 000012
2009520892.tif 000013